(57)【要約】【課題】利用者間における物品の共有を促すこと。【解決手段】本願に係る提供装置は、特定部と、提供部とを有する。特定部は、共有対象となる物品の所有者が物品を配置した配置場所であって、物品の利用を所望する利用者が訪問する配置場所のうち、利用者の位置との比較結果が所定の条件を満たす配置場所を特定する。提供部は、特定部により特定された配置場所を示す情報を利用者に提供する。【選択図】図２
2020149511.tif 000002
【特許請求の範囲】
【請求項１】
共有対象となる物品の所有者が当該物品を配置した配置場所であって、当該物品の利用を所望する利用者が訪問する配置場所のうち、当該利用者の位置との比較結果が所定の条件を満たす配置場所を特定する特定部と、
前記特定部により特定された配置場所を示す情報を前記利用者に提供する提供部と、
を有することを特徴とする提供装置。
【請求項２】
前記特定部は、
前記利用者が利用を所望する物品が配置された配置場所のうち、前記利用者の位置から所定の範囲内の設置場所を特定する、
ことを特徴とする請求項１に記載の提供装置。
【請求項３】
前記特定部は、
前記利用者が利用を所望する物品が配置された配置場所のうち、他の利用者が利用中の物品以外の物品が配置された配置場所を特定する、
ことを特徴とする請求項１または２に記載の提供装置。
【請求項４】
前記特定部は、
前記配置場所として、前記所有者が前記物品を配置した施設若しくは移動体であって、当該物品の共有に関する事業以外の事業を行っている施設若しくは移動体のうち、前記利用者の位置との比較結果が所定の条件を満たす施設若しくは移動体を特定する、
ことを特徴とする請求項１〜３のうちいずれか１つに記載の提供装置。
【請求項５】
前記利用者が利用を所望する物品の登録を受付ける受付部と、
前記登録された物品を所有する所有者に対して、当該物品の共有を提案する提案部と、
を有することを特徴とする請求項１〜４のうちいずれか１つに記載の提供装置。
【請求項６】
前記提案部は、
利用を所望する物品を登録した利用者の位置と、予め登録された配置場所との比較結果に基づいて、当該物品を配置可能な配置場所を特定し、当該物品を所有する所有者に対して、特定した配置場所をさらに提案する、
ことを特徴とする請求項５に記載の提供装置。
【請求項７】
前記提案部は、
利用を所望する物品の登録を行った利用者の位置に基づいて、当該物品に対する需要が所定の条件を満たす領域を推定し、推定された領域内の設置場所を提案する、
ことを特徴とする請求項６に記載の提供装置。
【請求項８】
前記提案部は、
利用を所望する物品の登録を行った利用者が所望した設置場所に基づいて、当該物品に対する需要が所定の条件を満たす領域を推定し、推定された領域内の設置場所を提案する、
ことを特徴とする請求項６または７に記載の提供装置。
【請求項９】
前記提案部は、
利用を所望された物品が有する属性と、予め登録された各配置場所の属性との比較結果に基づいて、当該物品を配置可能な配置場所を特定する、
ことを特徴とする請求項６〜８のうちいずれか１つに記載の提供装置。
【請求項１０】
前記提案部は、
利用を所望された物品の大きさと、予め登録された各配置場所の大きさとの比較結果に基づいて、当該物品を配置可能な配置場所を特定する、
ことを特徴とする請求項９に記載の提供装置。
【請求項１１】
前記受付部は、
前記利用者から利用を所望する物品の配置場所に関する希望条件の登録をさらに受付け、
前記提案部は、
前記登録された物品を所有する所有者に対して、予め登録された配置場所のうち、前記希望条件を満たす配置場所を提案する、
ことを特徴とする請求項５〜１０のうちいずれか１つに記載の提供装置。
【請求項１２】
前記特定部は、
前記所有者が前記物品を前記配置場所に配置可能な日時と、前記利用者が当該配置場所に訪問可能な日時との比較結果に基づいて、当該利用者に対して提案する配置場所を決定する、
ことを特徴とする請求項５〜１１のうちいずれか１つに記載の提供装置。
【請求項１３】
前記提供部は、
前記特定部により特定された配置場所に配置された前記物品が他の利用者により利用中である場合は、当該他の利用者による利用期間を特定し、特定した利用期間の終了までの残余期間が所定の閾値以下となった場合は、前記利用者に対して前記物品の利用を提案する、
ことを特徴とする請求項１〜１２のうちいずれか１つに記載の提供装置。
【請求項１４】
前記特定部は、
前記利用者の属性に基づいて、当該利用者が利用を所望する物品を推定し、推定した物品が配置された配置場所のうち、前記利用者の位置との比較結果が所定の条件を満たす配置場所を特定する、
ことを特徴とする請求項１〜１３のうちいずれか１つに記載の提供装置。
【請求項１５】
前記特定部は、
前記配置場所に配置された物品のうち前記利用者が過去に利用した物品の履歴に基づいて、当該利用者が利用を所望する物品を推定し、推定した物品が配置された配置場所のうち、前記利用者の位置との比較結果が所定の条件を満たす配置場所を特定する、
ことを特徴とする請求項１〜１４のうちいずれか１つに記載の提供装置。
【請求項１６】
前記利用者から提供される前記物品の利用に対する報酬を原資として、当該物品の所有者と、当該物品が配置された配置場所を提供する事業者への報酬を設定する設定部、
を有することを特徴とする請求項１〜１５のうちいずれか１つに記載の提供装置。
【請求項１７】
提案装置が実行する提案方法であって、
共有対象となる物品の所有者が当該物品を配置した配置場所であって、当該物品の利用を所望する利用者が訪問する配置場所のうち、当該利用者の位置との比較結果が所定の条件を満たす配置場所を特定する特定工程と、
前記特定工程により特定された配置場所を示す情報を前記利用者に提供する提供工程と、
を含むことを特徴とする提供方法。
【請求項１８】
共有対象となる物品の所有者が当該物品を配置した配置場所であって、当該物品の利用を所望する利用者が訪問する配置場所のうち、当該利用者の位置との比較結果が所定の条件を満たす配置場所を特定する特定手順と、
前記特定手順により特定された配置場所を示す情報を前記利用者に提供する提供手順と、
をコンピュータに実行させるための有することを特徴とする提供プログラム。
【発明の詳細な説明】
【技術分野】
【０００１】
本発明は、提供装置、提供方法及び提供プログラムに関する。
【背景技術】
【０００２】
近年、不動産や動産等といった各種物品の貸し借りを促進する技術が知られている。例えば、貸出対象となる物品を貸主が登録したエリアと対応付けて記憶し、借主が指定したエリアにおいて貸し出されている物品の情報を提供する技術が知られている。また、借主の近傍に保管されているレンタルコンテナを貸主のレンタルコンテナに代えて提供する技術が知られている。
【先行技術文献】
【特許文献】
【０００３】
【特許文献１】特開２００５−００４３３７号公報
【特許文献２】特開２００２−０４９８６９号公報
【発明の概要】
【発明が解決しようとする課題】
【０００４】
近年、利用者間で物品を共有するシェアリングサービスの利用が広がりを見せている。しかしながら、上述した技術では、必ずしも物品の共有を促すことができるとは言えない場合がある。
【０００５】
例えば、上述した従来技術では、借主の近傍に貸し借りの対象となる物品が所在していない場合は、借主が所望する物品の貸し借りを実現することができない恐れがある。
【０００６】
本願は、上記に鑑みてなされたものであって、利用者間における物品の共有を促すことができる提供装置、提供方法及び提供プログラムを目的とする。
【課題を解決するための手段】
【０００７】
本願に係る提供装置は、共有対象となる物品の所有者が当該物品を配置した配置場所であって、当該物品の利用を所望する利用者が訪問する配置場所のうち、当該利用者の位置との比較結果が所定の条件を満たす配置場所を特定する特定部と、前記特定部により特定された配置場所を示す情報を前記利用者に提供する提供部と、を有することを特徴とする。
【発明の効果】
【０００８】
実施形態の一態様によれば、利用者間における物品の共有を促すことができるという効果を奏する。
【図面の簡単な説明】
【０００９】
【図１】図１は、実施形態に係る提供装置が実行する提供処理の一例を示す図である。
【図２】図２は、実施形態に係る提供装置の構成例を示す図である。
【図３】図３は、実施形態に係る利用者データベースの一例を示す図である。
【図４】図４は、実施形態に係る所有者データベースの一例を示す図である。
【図５】図５は、実施形態に係る配置場所データベースの一例を示す図である。
【図６】図６は、実施形態に係る提供装置が実行する提供処理の流れの一例を示すフローチャートである。
【図７】図７は、実施形態に係る提供装置が実行する提案処理の流れの一例を示すフローチャートである。
【図８】図８は、提供装置の機能を実現するコンピュータの一例を示すハードウェア構成図である。
【発明を実施するための形態】
【００１０】
以下に、本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．提供装置が示す提供処理の一例〕
図１を用いて、実施形態に係る提供装置１００が実行する提供処理の一例について説明する。図１は、実施形態に係る提供装置１００が実行する提供処理の一例を示す図である。具体的には、提供装置１００は、共有対象となる物品の所有者が物品を配置した配置場所であって、物品の利用を所望する利用者が訪問する配置場所のうち、利用者の位置との比較結果が所定の条件を満たす配置場所を示す情報を利用者に提供する。なお、ここでいう配置場所とは、例えば、施設や、移動体等を示す。また、例えば、配置場所は、カフェ、リサイクルショップ又はシェアリングサービスを提供する加盟店舗等を含む。また、ここでいう物品とは、如何なる物品でもよい。
【００１２】
図１に示すように、提供システム１は、利用者端末装置１０と、所有者端末装置２０と、提供装置１００とを含む。利用者端末装置１０、所有者端末装置２０及び提供装置１００は、図示しない所定の通信網を介して、有線又は無線により通信可能に接続される。なお、図１に示す提供システム１には、複数台の利用者端末装置１０や、複数台の所有者端末装置２０や、複数台の提供装置１００が含まれてもよい。
【００１３】
実施形態に係る利用者端末装置１０は、ブラウザに表示されるウェブページやアプリケーション用のコンテンツ等のコンテンツにアクセスする利用者によって利用される情報処理装置である。例えば、利用者端末装置１０は、デスクトップ型ＰＣ（Personal  Computer）や、ノート型ＰＣや、タブレット端末や、携帯電話機や、ＰＤＡ（Personal  Digital  Assistant）等である。
【００１４】
また、利用者端末装置１０は、ＧＰＳ（Global  Positioning  System）センサ等の機能を有し、利用者の位置情報（センサ情報）を検知し、取得するものとする。また、利用者端末装置１０は、通信を行っている基地局の位置情報や、ＷｉＦｉ（登録商標）（Wireless  Fidelity）の電波を用いて利用者の位置情報を推定し、取得してもよい。
【００１５】
図１の例では、利用者端末装置１０が利用者によって利用されるスマートフォンである場合を示す。なお、以下では、利用者端末装置１０を利用者と表記する場合がある。すなわち、以下では、利用者を利用者端末装置１０と読み替えることもできる。
【００１６】
実施形態に係る所有者端末装置２０は、ブラウザに表示されるウェブページやアプリケーション用のコンテンツ等のコンテンツにアクセスする所有者によって利用される情報処理装置である。例えば、所有者端末装置２０は、デスクトップ型ＰＣや、ノート型ＰＣや、タブレット端末や、携帯電話機や、ＰＤＡ等である。なお、ここでいう所有者とは、物品を所有している人を指す。
【００１７】
また、所有者端末装置２０は、ＧＰＳセンサ等の機能を有し、所有者の位置情報を検知し、取得するものとする。また、所有者端末装置２０は、通信を行っている基地局の位置情報や、ＷｉＦｉ（登録商標）の電波を用いて所有者の位置情報を推定し、取得してもよい。
【００１８】
図１の例では、所有者端末装置２０−１が所有者Ｒ１によって利用されるスマートフォンである場合を示す。また、図１の例では、所有者端末装置２０−２が所有者Ｒ２によって利用されるスマートフォンである場合を示す。なお、以下の説明において、所有者端末装置２０−１及び２０−２を区別する必要のないときは、総称して所有者端末装置２０と表記する。また、以下では、所有者端末装置２０を所有者と表記する場合がある。すなわち、以下では、所有者を所有者端末装置２０と読み替えることもできる。
【００１９】
実施形態に係る提供装置１００は、例えば、サーバ装置等により実現される。具体的には、提供装置１００は、共有対象となる物品の所有者が物品を配置した配置場所であって、物品の利用を所望する利用者が訪問する配置場所のうち、利用者の位置との比較結果が所定の条件を満たす配置場所を特定する。そして、提供装置１００は、かかる配置場所を示す情報を利用者に提供する。
【００２０】
なお、以下では、提供装置１００は、利用者に関する情報が記憶される利用者データベースと、所有者に関する情報が記憶される所有者データベースと、配置場所に関する情報が記憶される配置情報データベースとを予め有しているものとする。また、以下では、配置場所として施設を提供する例を挙げて説明する。
【００２１】
以下、図１を用いて、提供装置１００による提供処理の一例を流れに沿って説明する。
【００２２】
まず、図１に示すように、提供装置１００は、配置場所のうち、利用者の位置とマッチする位置の配置場所を提案する（ステップＳ１）。具体的には、提供装置１００は、共有対象となる物品の所有者が物品を配置した配置場所であって、物品の利用を所望する利用者が訪問する配置場所のうち、利用者の位置との比較結果が所定の条件を満たす配置場所を特定する。そして、提供装置１００は、かかる配置場所を利用者に提案する。
【００２３】
より具体的には、提供装置１００は、利用者が利用を所望する物品が配置された配置場所のうち、利用者の位置から所定の範囲内の設置場所を特定する。そして、提供装置１００は、かかる設置場所を配置場所として利用者に提案する。
【００２４】
例えば、所定の範囲内として、半径５ｋｍ以内の距離を探索するものとする。この場合、提供装置１００は、利用者が利用を所望する物品が配置された配置場所のうち、利用者の位置から半径５ｋｍ以内の距離に位置する場所を特定する。そして、提供装置１００は、かかる場所を配置場所として利用者に提案する。
【００２５】
続いて、提供装置１００は、利用者が所望する所望物品の登録を受付ける（ステップＳ２）。例えば、図１の例では、提供装置１００は、利用者が所望する所望物品として、コーヒーメーカーと、楽器との登録を受付ける。ここで、例えば、利用者は、インターネットを介して物品と配置場所等に関する情報を検索する。
【００２６】
そして、提供装置１００は、所有者の位置情報と共有対象となる物品に関する情報とを取得する（ステップＳ３）。例えば、図１の例では、提供装置１００は、所有者Ｒ１と所有者Ｒ２との位置情報と、共有対象となる物品であるコーヒーメーカーと楽器とに関する情報とを取得する。
【００２７】
続いて、提供装置１００は、共有対象となる物品の属性とマッチする属性の配置場所のうち、需要があるエリアの配置場所であって、所有者の位置に応じた配置場所を特定する（ステップＳ４）。具体的には、提供装置１００は、利用を所望する物品を登録した利用者の位置と、予め登録された配置場所との比較結果に基づいて、物品を配置可能な配置場所を特定し、物品を所有する所有者に対して、特定した配置場所をさらに提案する。
【００２８】
例えば、図１の例では、提供装置１００は、コーヒーメーカーと楽器とを所望物品として登録した利用者の位置と、予め登録された配置場所との比較結果に基づいて、物品を配置可能な配置場所としてレストランＡと事務所Ｂとを特定する。
【００２９】
ここで、コーヒーメーカーは、あまり大きい物品ではないため、事務所のような広いスペースは必要ないとも考えられる。また、コーヒーメーカーは、設置場所の湿度とは関係なく、設置可能な物品であり、また、食品との関連性が高い物品であるため、事務所等に設置するよりは、レストランやカフェといった飲食店に配置した方がよいと考えられる。そこで、提供装置１００は、コーヒーメーカーの設置位置として、属性の親和性がより高いと推定されるレストランＡを特定する。
【００３０】
一方、楽器は、レストラン等、湿気や湿度が高い場所や、食品を取り扱う場所等に設置するべきではないと推定される。すなわち、楽器は、レストランＡとの親和性が低いと考えられる。そこで、提供装置１００は、楽器の設置位置として、レストランＡよりも親和性がより高いと推定される事務所Ｂを特定する。
【００３１】
このように、提供装置１００は、共有対象となる物品の属性と、物品を配置する配置場所の属性との一致度（すなわち、親和性）に基づいて、物品を配置する配置場所を特定する。このような処理の結果、提供装置１００は、物品の適切な共有を促すことができる。なお、後述するように、提供装置１００は、物品のサイズや各設置場所に設置可能な物品のサイズ、設置場所を利用可能な時間帯等、各種の属性に応じて、物品を設置する設置位置の特定を行ってよい。
【００３２】
そして、提供装置１００は、所有者Ｒ１にレストランＡを提案する（ステップＳ５）。続いて、提供装置１００は、所有者Ｒ２に事務所Ｂを提案する（ステップＳ６）。そして、所有者Ｒ１がコーヒーメーカーをレストランＡに設置する（ステップＳ７）。続いて、所有者Ｒ２が楽器を事務所Ｂに設置する（ステップＳ８）。ここで、例えば、配置場所を提供する事業者と所有者とが、共有対象となる物品を並べるスペースや展示スペース等を配置場所に設置する。
【００３３】
そして、提供装置１００は、配置場所と共有対象となる物品とのリストを利用者に提供する（ステップＳ９）。例えば、図１の例では、提供装置１００は、レストランＡとコーヒーメーカーとの組み合わせと、事務所Ｂと楽器との組み合わせとを含むリストを利用者に提供する。
【００３４】
続いて、利用者は、配置場所に訪問して共有対象となる物品を持ち帰り、利用する（ステップＳ１０）。例えば、図１の例では、利用者は、レストランＡに訪問して、コーヒーメーカーを持ち帰り、利用する。また、図１の例では、利用者は、事務所Ｂに訪問して、楽器を持ち帰り、利用する。
【００３５】
そして、利用者端末装置１０は、報酬に関する情報を提供装置１００に提供する（ステップＳ１１）。続いて、提供装置１００は、所有者Ｒ１と、所有者Ｒ２と、レストランＡを提供する事業者と、事務所Ｂを提供する事業者とに報酬を提供する（ステップＳ１２）。具体的には、提供装置１００は、利用者から提供される物品の利用に対する報酬を原資として、物品の所有者と、物品が配置された配置場所を提供する事業者への報酬を設定する。
【００３６】
例えば、報酬が「１万円」であるものとする。また、所有者と配置場所を提供する事業者とに報酬を当分するものとする。この場合、図１の例では、提供装置１００は、所有者Ｒ１に報酬として「２５００円」と、所有者Ｒ２に報酬として「２５００円」と、レストランＡを提供する事業者に報酬として「２５００円」と、事務所Ｂを提供する事業者に報酬として「２５００円」とを提供する。なお、報酬の提供方法は、如何なる方法であってもよい。例えば、報酬の提供方法は、現金、電子決済等であってもよい。また、報酬は、オークション等で提示されている金額を参考として決定された金額であってもよい。
【００３７】
このように、実施形態に係る提供装置１００は、共有対象となる物品の所有者が物品を配置した配置場所であって、物品の利用を所望する利用者が訪問する配置場所のうち、利用者の位置との比較結果が所定の条件を満たす配置場所を特定する。そして、提供装置１００は、かかる配置場所を示す情報を利用者に提供する。これにより、実施形態に係る提供装置１００は、共有対象となる物品の所有者が物品を配置した配置場所であって、物品の利用を所望する利用者が訪問する配置場所のうち、利用者の位置との比較結果が所定の条件を満たす配置場所を示す情報を利用者に提供するため、利用者間における物品の共有を促すことができる。
【００３８】
この点について説明する。図１の例を用いて説明すると、提供装置１００は、利用者が利用を所望する物品が配置された配置場所のうち、利用者の位置から半径５ｋｍ以内の距離に位置する場所を特定する。そして、提供装置１００は、かかる場所を配置場所として利用者に提案する。これにより、提供装置１００は、利用者にとって利用しやすい配置場所に所望物品を提供することができるため、共有対象である物品の利用を利用者に促すことができる。このことから、提供装置１００は、利用者間における物品の共有を促すことができるため、よりよいシェアリングサービスを提供することができる。
【００３９】
〔２．提供装置の構成〕
次に、図２を用いて、実施形態に係る提供装置１００の構成について説明する。図２は、実施形態に係る提供装置１００の構成例を示す図である。図２に示すように、提供装置１００は、通信部１１０と、記憶部１２０と、制御部１３０とを有する。
【００４０】
（通信部１１０について）
通信部１１０は、例えば、ＮＩＣ（Network  Interface  Card）等によって実現される。そして、通信部１１０は、ネットワークと有線又は無線で接続され、利用者端末装置１０と所有者端末装置２０との間で情報の送受信を行う。
【００４１】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、利用者データベース１２１と、所有者データベース１２２と、配置場所データベース１２３とを有する。
【００４２】
（利用者データベース１２１について）
実施形態に係る利用者データベース１２１は、利用者に関する情報を記憶する。ここで、図３に、実施形態に係る利用者データベース１２１の一例を示す。図３に示した例では、利用者データベース１２１は、「利用者ＩＤ（Identifier）」、「利用者情報」、「位置情報」、「所望情報」、「属性情報」、「利用履歴」、「利用中物品」といった項目を有する。
【００４３】
「利用者ＩＤ」は、利用者を識別する識別子である。「利用者情報」は、「利用者ＩＤ」に対応付けられた利用者に関する情報である。「位置情報」は、「利用者ＩＤ」に対応付けられた利用者の位置情報である。
【００４４】
「所望情報」は、「利用者ＩＤ」に対応付けられた利用者が所望する所望物品と所望する配置場所（エリア等）とに関する情報である。「属性情報」は、「利用者ＩＤ」に対応付けられた所望物品の属性に関する情報である。
【００４５】
「利用履歴」は、「利用者ＩＤ」に対応付けられた利用者が過去に利用した物品に関する履歴情報である。「利用中物品」は、「利用者ＩＤ」に対応付けられた現在利用されている物品に関する情報である。
【００４６】
例えば、図３では、利用者ＩＤによって識別された「利用者＃Ｕ１」は、利用者情報が「利用者情報＃Ｕ１」であり、位置情報が「位置情報＃Ｕ１」であり、所望情報が「所望情報＃Ｕ１」であり、属性情報が「属性情報＃Ｕ１」であり、利用履歴が「利用履歴＃Ｕ１」であり、利用中物品が「なし」である。なお、図３に示した例では、利用者情報＃Ｕ１等の抽象的な符号で表現したが、具体的なファイル形式、数値、名称等に関する情報であってもよい。
【００４７】
（所有者データベース１２２について）
実施形態に係る所有者データベース１２２は、所有者に関する情報を記憶する。ここで、図３に、実施形態に係る所有者データベース１２２の一例を示す。図４に示した例では、所有者データベース１２２は、「所有者ＩＤ」、「所有者情報」、「位置情報」、「物品ＩＤ」、「物品名」、「配置場所」、「共有状況」、「共有者情報」、「属性情報」といった項目を有する。
【００４８】
「所有者ＩＤ」は、所有者を識別する識別子である。「所有者情報」は、「所有者ＩＤ」に対応付けられた所有者に関する情報である。「位置情報」は、「所有者ＩＤ」に対応付けられた所有者の位置情報である。
【００４９】
「物品ＩＤ」は、「所有者ＩＤ」に対応付けられた物品を識別する識別子である。「物品名」は、「所有者ＩＤ」に対応付けられた物品の名称であって、「物品ＩＤ」に対応付けられた物品の名称に関する情報である。
【００５０】
「配置場所」は、「所有者ＩＤ」に対応付けられた配置場所であって、「物品ＩＤ」に対応付けられた配置場所に関する情報である。「共有状況」は、「所有者ＩＤ」に対応付けられた共有状況であって、「物品ＩＤ」に対応付けられた共有状況に関する情報であって。具体的には、「共有状況」は、物品の利用者間で共有されている状況に関する情報である。
【００５１】
「共有者情報」は、「所有者ＩＤ」に対応付けられた共有者情報であって、「物品ＩＤ」に対応付けられた共有者情報に関する情報である。具体的には、「共有者情報」は、共有している他の利用者に関する情報である。「属性情報」は、「所有者ＩＤ」に対応付けられた属性情報であって、「物品ＩＤ」に対応付けられた属性情報に関する情報であって。具体的には、「属性情報」は、物品の属性に関する情報である。
【００５２】
例えば、図４では、所有者ＩＤによって識別された「所有者＃Ｒ１」は、所有者情報が「所有者情報＃Ｒ１」であり、位置情報が「位置情報＃Ｒ１」である。物品ＩＤによって識別された「物品＃１−１」は、物品名が「コーヒーメーカー」であり、配置位置が「レストランＡ」であり、共有状況が「共有可能」であり、共有者情報が「ｎｕｌｌ」である。また、物品ＩＤによって識別された「物品＃１−１」は、属性情報のうち、サイズが「サイズ＃１−１」であり、耐湿性が「あり」であり、われものが「あり」である。なお、図４に示した例では、所有者情報＃Ｒ１等の抽象的な符号で表現したが、具体的なファイル形式、数値、名称等に関する情報であってもよい。
【００５３】
（配置場所データベース１２３について）
実施形態に係る配置場所データベース１２３は、配置場所に関する情報を記憶する。ここで、図５に、実施形態に係る配置場所データベース１２３の一例を示す。図５に示した例では、配置場所データベース１２３は、「配置場所ＩＤ」、「配置場所情報」、「位置情報」、「配置可能属性情報」といった項目を有する。
【００５４】
「配置場所ＩＤ」は、配置場所を識別する識別子である。「配置場所情報」は、「配置場所ＩＤ」に対応付けられた配置場所に関する情報である。「位置情報」は、「配置場所ＩＤ」に対応付けられた配置場所の位置情報である。
【００５５】
「配置可能属性情報」は、「配置場所ＩＤ」に対応付けられた配置可能属性情報に関する情報である。例えば、「配置可能属性情報」とは、サイズ、耐湿性、われもの等である。
【００５６】
例えば、図５では、配置場所ＩＤによって識別された「配置場所＃Ｐ１」は、配置場所情報が「配置場所情報＃Ｐ１」であり、位置情報が「位置情報＃Ｐ２」であり、配置可能属性情報が「属性＃Ｐ１」である。なお、図５に示した例では、配置場所情報＃Ｐ１等の抽象的な符号で表現したが、具体的なファイル形式、数値、名称等に関する情報であってもよい。
【００５７】
（制御部１３０について）
制御部１３０は、コントローラ（Controller）であり、例えば、ＣＰＵ（Central  Processing  Unit）やＭＰＵ（Micro  Processing  Unit）等によって、提供装置１００内部の記憶装置に記憶されている各種プログラム（提供プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００５８】
図２に示すように、制御部１３０は、受付部１３１と、特定部１３２と、提供部１３３と、提案部１３４と、設定部１３５とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００５９】
（受付部１３１について）
受付部１３１は、各種情報を受付ける。具体的には、受付部１３１は、利用者が利用を所望する物品の登録を受付ける。例えば、図１の例では、受付部１３１は、利用者が所望する所望物品として、コーヒーメーカーと、楽器との登録を受付ける。
【００６０】
（特定部１３２について）
特定部１３２は、共有対象となる物品の所有者が物品を配置した配置場所であって、物品の利用を所望する利用者が訪問する配置場所のうち、利用者の位置との比較結果が所定の条件を満たす配置場所を特定する。具体的には、特定部１３２は、利用者データベース１２１及び所有者データベース１２２を参照することで、利用者が利用を所望する物品が配置された配置場所のうち、利用者の位置から所定の範囲内の設置場所を特定する。
【００６１】
例えば、所定の範囲内として、半径５ｋｍ以内の距離を探索するものとする。この場合、特定部１３２は、利用者が利用を所望する物品が配置された配置場所のうち、利用者の位置から半径５ｋｍ以内の距離に位置する場所を特定する。
【００６２】
（提供部１３３について）
提供部１３３は、配置場所データベース１２３を参照することで、特定部１３２により特定された配置場所を示す情報を利用者に提供する。また、提供部１３３は、配置場所と共有対象となる物品とのリストを利用者に提供する。例えば、図１の例では、提供部１３３は、レストランＡとコーヒーメーカーとの組み合わせと、事務所Ｂと楽器との組み合わせとを含むリストを利用者に提供する。
【００６３】
また、提供部１３３は、所有者と、配置場所を提供する事業者とに報酬を提供する。例えば、報酬が「１万円」であるものとする。また、所有者と配置場所を提供する事業者とに報酬を当分するものとする。この場合、図１の例では、提供装置１００は、所有者Ｒ１に報酬として「２５００円」と、所有者Ｒ２に報酬として「２５００円」と、レストランＡを提供する事業者に報酬として「２５００円」と、事務所Ｂを提供する事業者に報酬として「２５００円」とを提供する。
【００６４】
（提案部１３４について）
提案部１３４は、登録された物品を所有する所有者に対して、物品の共有を提案する。具体的には、提案部１３４は、利用者データベース１２１及び所有者データベース１２２を参照することで、利用を所望する物品を登録した利用者の位置と、予め登録された配置場所との比較結果に基づいて、物品を配置可能な配置場所を特定し、物品を所有する所有者に対して、特定した配置場所をさらに提案する。
【００６５】
例えば、図１の例では、提案部１３４は、コーヒーメーカーと楽器とを所望物品として登録した利用者の位置と、予め登録された配置場所との比較結果に基づいて、物品を配置可能な配置場所としてレストランＡと事務所Ｂとを特定する。そして、提案部１３４は、所有者Ｒ１にレストランＡを提案する。また、提案部１３４は、所有者Ｒ２に事務所Ｂを提案する。
【００６６】
（設定部１３５について）
設定部１３５は、利用者から提供される物品の利用に対する報酬を原資として、物品の所有者と、物品が配置された配置場所を提供する事業者への報酬を設定する。例えば、報酬が「１万円」であるものとする。この場合、図１の例では、設定部１３５は、所有者と配置場所を提供する事業者とに報酬を当分するものとして、所有者Ｒ１に報酬として「２５００円」と、所有者Ｒ２に報酬として「２５００円」と、レストランＡを提供する事業者に報酬として「２５００円」と、事務所Ｂを提供する事業者に報酬として「２５００円」とを設定する。
【００６７】
〔３．処理手順（１）提供処理〕
次に、図６を用いて、実施形態に係る提供装置１００が実行する提供処理の手順について説明する。図６は、実施形態に係る提供装置１００が実行する提供処理の流れの一例を示すフローチャートである。
【００６８】
図６に示すように、受付部１３１は、リストの配信要求を利用者端末装置１０から受付ける（ステップＳ１０１）。そして、特定部１３２は、受付部１３１がリストの配信要求を利用者端末装置１０から受付けていない場合（ステップＳ１０１；Ｎｏ）、リストの配信要求を利用者端末装置１０から受付けるまで待機する。
【００６９】
一方、特定部１３２は、受付部１３１がリストの配信要求を利用者端末装置１０から受付けた場合（ステップＳ１０１；Ｙｅｓ）、利用者の位置情報を取得する（ステップＳ１０２）。そして、特定部１３２は、取得した位置情報との位置関係が、所定の条件を満たす配置場所を特定する（ステップＳ１０３）。
【００７０】
例えば、所定の条件として、半径５ｋｍ以内の距離を探索するものとする。この場合、特定部１３２は、利用者が利用を所望する物品が配置された配置場所のうち、利用者の位置から半径５ｋｍ以内の距離に位置する配置場所を特定する。
【００７１】
そして、特定部１３２は、特定した配置場所のうち、設置されている物品が所定の条件を満たす配置場所を特定する（ステップＳ１０４）。そして、提供部１３３は、配置場所のリストを利用者端末装置１０に提供する（ステップＳ１０５）。
【００７２】
なお、上記ステップＳ１０４では、特定部１３２は、利用者の属性や、利用履歴に基づいて利用者が利用したいと推定される物品に基づいて、利用者の所望物品が置かれている配置場所を特定してもよい。また、特定部１３２は、所望物品が貸し出し中ではない情報に基づいて、配置場所を特定してもよい。また、特定部１３２は、設置時間まで所定の閾値よりも短い配置場所に基づいて、配置場所を特定してもよい。
【００７３】
〔４．処理手順（２）提案処理〕
次に、図７を用いて、実施形態に係る提供装置１００が実行する提案処理の手順について説明する。図７は、実施形態に係る提供装置１００が実行する提案処理の流れの一例を示すフローチャートである。
【００７４】
図７に示すように、特定部１３２は、利用者の位置情報、利用者の利用履歴、利用者の所望物品、所望位置を特定する（ステップＳ２０１）。そして、特定部１３２は、各エリアにおいて需要が所定の閾値を超える物品を特定する（ステップＳ２０２）。
【００７５】
そして、特定部１３２は、特定した物品を所有する所有者であって、需要が存在するエリアの近傍に所在する所有者を特定する（ステップＳ２０３）。そして、提案部１３４は、特定した所有者に対して、需要が存在するエリアに物品の設置を提案する（ステップＳ２０４）。
【００７６】
〔５．変形例〕
上述した提供装置１００は、上記実施形態以外にも種々の異なる形態にて実施されてよい。そこで、以下では、提供装置１００の他の実施形態について説明する。
【００７７】
〔５−１．特定処理（１）貸出可能な位置〕
上記実施形態では、提供装置１００の特定部１３２が共有対象となる物品の所有者が物品を配置した配置場所であって、物品の利用を所望する利用者が訪問する配置場所のうち、利用者の位置との比較結果が所定の条件を満たす配置場所を特定する特定処理の一例を説明したが、上記特定処理に限定されない。具体的には、特定部１３２は、利用者が利用を所望する物品が配置された配置場所のうち、他の利用者が利用中の物品以外の物品が配置された配置場所を特定してもよい。
【００７８】
例えば、他の利用者として利用者Ｂがいるものとする。また、配置場所がレストランＡと、レストランＢとがあるものとする。また、物品がコーヒーメーカーであるものとする。また、コーヒーメーカーがレストランＡ及びレストランＢに配置されているものとする。また、利用者ＢはすでにレストランＡのコーヒーメーカーを利用しているものとする。この場合、特定部１３２は、利用者ＢによってすでにレストランＡのコーヒーメーカーが利用されていることに関する情報に基づいて、レストランＢを特定してもよい。
【００７９】
これにより、実施形態に係る提供装置１００の特定部１３２は、利用者が利用を所望する物品が配置された配置場所のうち、他の利用者が利用中の物品以外の物品が配置された配置場所を特定するため、利用者間における物品の共有を促すことができる。
【００８０】
〔５−２．特定処理（２）配置場所が移動ショップ等〕
上記実施形態では、提供装置１００の特定部１３２が共有対象となる物品の所有者が物品を配置した配置場所であって、物品の利用を所望する利用者が訪問する配置場所のうち、利用者の位置との比較結果が所定の条件を満たす配置場所を特定する特定処理の一例を説明したが、上記特定処理に限定されない。具体的には、特定部１３２は、配置場所として、所有者が物品を配置した移動体であって、物品の共有に関する事業以外の事業を行っている移動体のうち、利用者の位置との比較結果が所定の条件を満たす移動体を特定してもよい。
【００８１】
例えば、移動体が自動車を利用した移動ショップであるものとする。また、物品がコーヒーメーカーであるものとする。また、所定の条件として、半径１０ｋｍ以内の距離を探索するものとする。この場合、特定部１３２は、コーヒーメーカーが移動ショップのうち、利用者の位置から半径１０ｋｍ以内の距離に位置する移動ショップを特定してもよい。
【００８２】
これにより、実施形態に係る提供装置１００の特定部１３２は、配置場所として、所有者が物品を配置した移動体であって、物品の共有に関する事業以外の事業を行っている移動体のうち、利用者の位置との比較結果が所定の条件を満たす移動体を特定するため、利用者間における物品の共有を促すことができる。
【００８３】
〔５−３．特定処理（３）設置時間と借主時間〕
上記実施形態では、提供装置１００の特定部１３２が共有対象となる物品の所有者が物品を配置した配置場所であって、物品の利用を所望する利用者が訪問する配置場所のうち、利用者の位置との比較結果が所定の条件を満たす配置場所を特定する特定処理の一例を説明したが、上記特定処理に限定されない。具体的には、特定部１３２は、所有者が物品を配置場所に配置可能な日時と、利用者が配置場所に訪問可能な日時との比較結果に基づいて、利用者に対して提案する配置場所を決定してもよい。
【００８４】
例えば、物品がコーヒーメーカーであるものとする。また、配置場所がレストランＡであるものとする。また、所有者ＡがコーヒーメーカーをレストランＡに配置可能な日が火曜日であるものとする。また、利用者ＡがレストランＡに訪問可能な日が火曜日であるものとする。この場合、特定部１３２は、所有者Ａ利用者ががコーヒーメーカーをレストランＡに配置可能な日と、利用者ＡがレストランＡに訪問可能な日とが火曜日で同一であるため、利用者Ａに配置場所としてレストランＡを決定してもよい。
【００８５】
これにより、実施形態に係る提供装置１００の特定部１３２は、所有者が物品を配置場所に配置可能な日時と、利用者が配置場所に訪問可能な日時との比較結果に基づいて、利用者に対して提案する配置場所を決定するため、利用者間における物品の共有を促すことができる。
【００８６】
〔５−４．特定処理（４）利用しそうな物品が置いてある場所を特定〕
上記実施形態では、提供装置１００の特定部１３２が共有対象となる物品の所有者が物品を配置した配置場所であって、物品の利用を所望する利用者が訪問する配置場所のうち、利用者の位置との比較結果が所定の条件を満たす配置場所を特定する特定処理の一例を説明したが、上記特定処理に限定されない。具体的には、特定部１３２は、利用者の属性に基づいて、利用者が利用を所望する物品を推定し、推定した物品が配置された配置場所のうち、利用者の位置との比較結果が所定の条件を満たす配置場所を特定してもよい。
【００８７】
例えば、利用者Ａの属性が男性であるため物品として電気カミソリを推定する例を説明する。また、配置場所がホテルＡであるものとする。また、電気カミソリがホテルＡに配置されているものとする。また、ホテルＡの位置と利用者Ａの位置との距離が４ｋｍであるものとする。また、所定の条件として、半径５ｋｍ以内の距離を探索するものとする。この場合、特定部１３２は、属性が男性であるため物品として電気カミソリを推定する。そして、特定部１３２は、利用者Ａが利用を電気カミソリが配置された配置場所のうち、利用者の位置から半径５ｋｍ以内の距離に位置するホテルＡを配置場所として特定してもよい。
【００８８】
これにより、実施形態に係る提供装置１００の特定部１３２は、利用者の属性に基づいて、利用者が利用を所望する物品を推定し、推定した物品が配置された配置場所のうち、利用者の位置との比較結果が所定の条件を満たす配置場所を特定するため、利用者間における物品の共有を促すことができる。
【００８９】
〔５−５．特定処理（５）利用履歴に基づく特定〕
上記実施形態では、提供装置１００の特定部１３２が共有対象となる物品の所有者が物品を配置した配置場所であって、物品の利用を所望する利用者が訪問する配置場所のうち、利用者の位置との比較結果が所定の条件を満たす配置場所を特定する特定処理の一例を説明したが、上記特定処理に限定されない。具体的には、特定部１３２は、配置場所に配置された物品のうち利用者が過去に利用した物品の履歴に基づいて、利用者が利用を所望する物品を推定し、推定した物品が配置された配置場所のうち、利用者の位置との比較結果が所定の条件を満たす配置場所を特定してもよい。
【００９０】
例えば、過去の利用者の履歴に含まれる利用頻度が所定の閾値以上である物品を推定する例を説明する。また、過去に利用者Ａが物品としてコーヒーメーカーを２０回利用していたものとする。また、配置場所がレストランＡであるものとする。また、コーヒーメーカーがレストランＡに配置されているものとする。また、レストランＡの位置と利用者Ａの位置との距離が４ｋｍであるものとする。所定の閾値が１０回であるものとする。また、所定の条件として、半径５ｋｍ以内の距離を探索するものとする。この場合、特定部１３２は、利用者Ａの利用履歴に含まれるコーヒーメーカーの利用頻度が所定の閾値以上であるため、物品としてコーヒーメーカーを推定する。そして、特定部１３２は、利用者Ａが利用をコーヒーメーカーが配置された配置場所のうち、利用者の位置から半径５ｋｍ以内の距離に位置するレストランＡを配置場所として特定してもよい。
【００９１】
これにより、実施形態に係る提供装置１００の特定部１３２は、配置場所に配置された物品のうち利用者が過去に利用した物品の履歴に基づいて、利用者が利用を所望する物品を推定し、推定した物品が配置された配置場所のうち、利用者の位置との比較結果が所定の条件を満たす配置場所を特定するため、利用者間における物品の共有を促すことができる。
【００９２】
〔５−６．提供処理  キャンセル待ち〕
上記実施形態では、提供装置１００の提供部１３３が特定部１３２により特定された配置場所を示す情報を利用者に提供する提供処理の一例を説明したが、上記提供処理に限定されない。具体的には、提供部１３３は、特定部１３２により特定された配置場所に配置された物品が他の利用者により利用中である場合は、他の利用者による利用期間を特定し、特定した利用期間の終了までの残余期間が所定の閾値以下となった場合は、利用者に対して物品の利用を提案してもよい。
【００９３】
例えば、他の利用者として利用者Ｂがいるものとする。また、配置場所がレストランＡと、レストランＢとがあるものとする。また、物品がコーヒーメーカーであるものとする。また、コーヒーメーカーがレストランＡ及びレストランＢに配置されているものとする。また、利用者ＢはすでにレストランＡのコーヒーメーカーを利用しているものとする。また、利用者Ｂのコーヒーメーカーの利用期間の終了までの残余期間が所定の閾値以下である１週間であるものとする。この場合、提供部１３３は、利用者Ｂのコーヒーメーカーの利用期間の終了までの残余期間が所定の閾値以下であるため、レストランＡのコーヒーメーカーの利用に関する情報を提案してもよい。
【００９４】
これにより、実施形態に係る提供装置１００の提供部１３３は、配置場所に配置された物品が他の利用者により利用中である場合は、他の利用者による利用期間を特定し、特定した利用期間の終了までの残余期間が所定の閾値以下となった場合は、利用者に対して物品の利用を提案するため、利用者間における物品の共有を促すことができる。
【００９５】
〔５−７．提案処理（１）需要が多い場所を提案〕
上記実施形態では、提供装置１００の提案部１３４が利用を所望する物品を登録した利用者の位置と、予め登録された配置場所との比較結果に基づいて、物品を配置可能な配置場所を特定し、物品を所有する所有者に対して、特定した配置場所をさらに提案する提案処理の一例を説明したが、上記提案処理に限定されない。具体的には、提案部１３４は、利用を所望する物品の登録を行った利用者の位置に基づいて、物品に対する需要が所定の条件を満たす領域を推定し、推定された領域内の設置場所を提案してもよい。
【００９６】
例えば、所定の条件として、利用者の位置から半径５ｋｍ以内の距離であるものとする。この場合、提案部１３４は、利用者が利用を所望する物品が配置された配置場所のうち、利用者の位置から半径５ｋｍ以内の距離に位置する場所を提案してもよい。
【００９７】
これにより、実施形態に係る提供装置１００の提案部１３４は、利用を所望する物品の登録を行った利用者の位置に基づいて、物品に対する需要が所定の条件を満たす領域を推定し、推定された領域内の設置場所を提案するため、利用者間における物品の共有を促すことができる。
【００９８】
〔５−８．提案処理（２）リクエストが多い場所を提案〕
上記実施形態では、提供装置１００の提案部１３４が利用を所望する物品を登録した利用者の位置と、予め登録された配置場所との比較結果に基づいて、物品を配置可能な配置場所を特定し、物品を所有する所有者に対して、特定した配置場所をさらに提案する提案処理の一例を説明したが、上記提案処理に限定されない。具体的には、提案部１３４は、利用を所望する物品の登録を行った利用者が所望した設置場所に基づいて、物品に対する需要が所定の条件を満たす領域を推定し、推定された領域内の設置場所を提案してもよい。
【００９９】
例えば、所定の条件として、利用者の位置から半径５ｋｍ以内の距離であるものとする。この場合、提案部１３４は、利用者が利用を所望する物品が配置された配置場所であって、利用者が所望した配置場所のうち、利用者の位置から半径５ｋｍ以内の距離に位置する場所を提案してもよい。
【０１００】
これにより、実施形態に係る提供装置１００の提案部１３４は、利用を所望する物品の登録を行った利用者が所望した設置場所に基づいて、物品に対する需要が所定の条件を満たす領域を推定し、推定された領域内の設置場所を提案するため、利用者間における物品の共有を促すことができる。
【０１０１】
〔５−９．提案処理（３）配置場所と物品との属性〕
上記実施形態では、提供装置１００の提案部１３４が利用を所望する物品を登録した利用者の位置と、予め登録された配置場所との比較結果に基づいて、物品を配置可能な配置場所を特定し、物品を所有する所有者に対して、特定した配置場所をさらに提案する提案処理の一例を説明したが、上記提案処理に限定されない。具体的には、提案部１３４は、利用を所望された物品が有する属性と、予め登録された各配置場所の属性との比較結果に基づいて、物品を配置可能な配置場所を特定してもよい。より具体的には、提案部１３４は、利用を所望された物品の大きさと、予め登録された各配置場所の大きさとの比較結果に基づいて、物品を配置可能な配置場所を特定してもよい。
【０１０２】
例えば、物品が全長１ｍの楽器であるものとする。また、配置場所として、事務所Ａと、事務所Ｂとがあるものとする。また、事務所Ａは物品を配置するスペースが小さいもの（全長１ｍの楽器が配置できない大きさ）とする。また、事務所Ｂは物品を配置するスペースが大きいもの（全長１ｍの楽器が配置できる大きさ）とする。この場合、提案部１３４は、楽器の大きさと、配置場所の物品を配置するスペースとの比較結果に基づいて、事務所Ｂが物品を配置するスペースが大きいため、事務所Ｂを配置場所として特定してもよい。
【０１０３】
これにより、実施形態に係る提供装置１００の提案部１３４は、利用を所望された物品が有する属性と、予め登録された各配置場所の属性との比較結果に基づいて、物品を配置可能な配置場所を特定するため、利用者間における物品の共有を促すことができる。
【０１０４】
〔５−１０．提案処理（４）置き場所リクエスト〕
上記実施形態では、提供装置１００の提案部１３４が利用を所望する物品を登録した利用者の位置と、予め登録された配置場所との比較結果に基づいて、物品を配置可能な配置場所を特定し、物品を所有する所有者に対して、特定した配置場所をさらに提案する提案処理の一例を説明したが、上記提案処理に限定されない。具体的には、受付部１３１は、利用者から利用を所望する物品の配置場所に関する希望条件の登録をさらに受付け、提案部１３４は、登録された物品を所有する所有者に対して、予め登録された配置場所のうち、希望条件を満たす配置場所を提案してもよい。
【０１０５】
例えば、物品が楽器であるものとする。また、希望条件が湿度コントロールされた配置場所であるものとする。また、配置場所が湿度コントロールされた博物館であるものとする。この場合、提案部１３４は、湿度コントロールされた配置場所であるため、博物館を配置場所として所有者に対して提案してもよい。
【０１０６】
これにより、実施形態に係る提供装置１００の提案部１３４は、登録された物品を所有する所有者に対して、予め登録された配置場所のうち、希望条件を満たす配置場所を提案するため、利用者間における物品の共有を促すことができる。
【０１０７】
〔５−１１．保険〕
上記実施形態では、提供装置１００は、利用者から提供される物品の利用に対する報酬を原資として、物品の所有者と、物品が配置された配置場所を提供する事業者への報酬を設定する例を説明したが、利用者にも物品の保障を与えてもよい。例えば、提供装置１００は、物品の破損保障や、シェアリングサービスに関する保険を利用者に与えてもよい。
【０１０８】
〔５−１２．広告コンテンツ〕
上記実施形態では、提供装置１００は、配置場所を示す情報を利用者に提供する例を説明したが、配置場所に応じた広告コンテンツを利用者に提供してもよい。例えば、提供装置１００は、配置場所を示す情報を提供するとともに、配置場所が提供している広告コンテンツを提供してもよい。また、例えば、提供装置１００は、配置場所を示す情報を提供するとともに、物品に関する広告コンテンツを提供してもよい。
【０１０９】
〔６．ハードウェア構成〕
また、上述してきた実施形態に係る利用者端末装置１０、所有者端末装置２０及び提供装置１００は、例えば図８に示すような構成のコンピュータ１０００によって実現される。以下、提供装置１００を例に挙げて説明する。図８は、提供装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１０】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１１】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００がネットワークＮを介して生成したデータを他の機器へ送信する。
【０１１２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１１３】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１４】
例えば、コンピュータ１０００が実施形態に係る提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置からネットワークＮを介してこれらのプログラムを取得してもよい。
【０１１５】
〔７．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１７】
また、上述してきた実施形態及び変形例は、処理内容を矛盾させない範囲で適宜組み合わせることが可能である。
【０１１８】
また、上述してきた「部（section、module、unit）」は、「手段」や「回路」などに読み替えることができる。例えば、提供部は、提供手段や提供回路に読み替えることができる。
【０１１９】
〔８．効果〕
上述してきたように、実施形態に係る提供装置１００は、特定部１３２と、提供部１３３とを有する。特定部１３２は、共有対象となる物品の所有者が物品を配置した配置場所であって、物品の利用を所望する利用者が訪問する配置場所のうち、利用者の位置との比較結果が所定の条件を満たす配置場所を特定する。提供部１３３は、特定部１３２により特定された配置場所を示す情報を利用者に提供する。
【０１２０】
これにより、実施形態に係る提供装置１００は、共有対象となる物品の所有者が物品を配置した配置場所であって、物品の利用を所望する利用者が訪問する配置場所のうち、利用者の位置との比較結果が所定の条件を満たす配置場所を示す情報を利用者に提供するため、利用者間における物品の共有を促すことができる。
【０１２１】
また、実施形態に係る提供装置１００において、特定部１３２は、利用者が利用を所望する物品が配置された配置場所のうち、利用者の位置から所定の範囲内の設置場所を特定する。
【０１２２】
これにより、実施形態に係る提供装置１００は、利用者が利用を所望する物品が配置された配置場所のうち、利用者の位置から所定の範囲内の設置場所を特定するため、利用者間における物品の共有を促すことができる。
【０１２３】
また、実施形態に係る提供装置１００において、特定部１３２は、利用者が利用を所望する物品が配置された配置場所のうち、他の利用者が利用中の物品以外の物品が配置された配置場所を特定する。
【０１２４】
これにより、実施形態に係る提供装置１００は、利用者が利用を所望する物品が配置された配置場所のうち、他の利用者が利用中の物品以外の物品が配置された配置場所を特定するため、利用者間における物品の共有を促すことができる。
【０１２５】
また、実施形態に係る提供装置１００において、特定部１３２は、配置場所として、所有者が物品を配置した施設若しくは移動体であって、物品の共有に関する事業以外の事業を行っている施設若しくは移動体のうち、利用者の位置との比較結果が所定の条件を満たす施設若しくは移動体を特定する。
【０１２６】
これにより、実施形態に係る提供装置１００は、配置場所として、所有者が物品を配置した施設若しくは移動体であって、物品の共有に関する事業以外の事業を行っている施設若しくは移動体のうち、利用者の位置との比較結果が所定の条件を満たす施設若しくは移動体を特定するため、利用者間における物品の共有を促すことができる。
【０１２７】
また、実施形態に係る提供装置１００において、利用者が利用を所望する物品の登録を受付ける受付部１３１と、登録された物品を所有する所有者に対して、物品の共有を提案する提案部１３４とを有する。
【０１２８】
これにより、実施形態に係る提供装置１００は、登録された物品を所有する所有者に対して、物品の共有を提案するため、利用者間における物品の共有を促すことができる。
【０１２９】
また、実施形態に係る提供装置１００において、提案部１３４は、利用を所望する物品を登録した利用者の位置と、予め登録された配置場所との比較結果に基づいて、物品を配置可能な配置場所を特定し、物品を所有する所有者に対して、特定した配置場所をさらに提案する。
【０１３０】
これにより、実施形態に係る提供装置１００は、利用を所望する物品を登録した利用者の位置と、予め登録された配置場所との比較結果に基づいて、物品を配置可能な配置場所を特定し、物品を所有する所有者に対して、特定した配置場所をさらに提案するため、利用者間における物品の共有を促すことができる。
【０１３１】
また、実施形態に係る提供装置１００において、提案部１３４は、利用を所望する物品の登録を行った利用者の位置に基づいて、物品に対する需要が所定の条件を満たす領域を推定し、推定された領域内の設置場所を提案する。
【０１３２】
これにより、実施形態に係る提供装置１００は、利用を所望する物品の登録を行った利用者の位置に基づいて、物品に対する需要が所定の条件を満たす領域を推定し、推定された領域内の設置場所を提案するため、利用者間における物品の共有を促すことができる。
【０１３３】
また、実施形態に係る提供装置１００において、提案部１３４は、利用を所望する物品の登録を行った利用者が所望した設置場所に基づいて、物品に対する需要が所定の条件を満たす領域を推定し、推定された領域内の設置場所を提案する。
【０１３４】
これにより、実施形態に係る提供装置１００は、利用を所望する物品の登録を行った利用者が所望した設置場所に基づいて、物品に対する需要が所定の条件を満たす領域を推定し、推定された領域内の設置場所を提案するため、利用者間における物品の共有を促すことができる。
【０１３５】
また、実施形態に係る提供装置１００において、提案部１３４は、利用を所望された物品が有する属性と、予め登録された各配置場所の属性との比較結果に基づいて、物品を配置可能な配置場所を特定する。
【０１３６】
これにより、実施形態に係る提供装置１００は、利用を所望された物品が有する属性と、予め登録された各配置場所の属性との比較結果に基づいて、物品を配置可能な配置場所を特定するため、利用者間における物品の共有を促すことができる。
【０１３７】
また、実施形態に係る提供装置１００において、提案部１３４は、利用を所望された物品の大きさと、予め登録された各配置場所の大きさとの比較結果に基づいて、物品を配置可能な配置場所を特定する。
【０１３８】
これにより、実施形態に係る提供装置１００は、利用を所望された物品の大きさと、予め登録された各配置場所の大きさとの比較結果に基づいて、物品を配置可能な配置場所を特定するため、利用者間における物品の共有を促すことができる。
【０１３９】
また、実施形態に係る提供装置１００において、受付部１３１は、利用者から利用を所望する物品の配置場所に関する希望条件の登録をさらに受付け、提案部１３４は、登録された物品を所有する所有者に対して、予め登録された配置場所のうち、希望条件を満たす配置場所を提案する。
【０１４０】
これにより、実施形態に係る提供装置１００は、登録された物品を所有する所有者に対して、予め登録された配置場所のうち、希望条件を満たす配置場所を提案するため、利用者間における物品の共有を促すことができる。
【０１４１】
また、実施形態に係る提供装置１００において、特定部１３２は、所有者が物品を配置場所に配置可能な日時と、利用者が配置場所に訪問可能な日時との比較結果に基づいて、利用者に対して提案する配置場所を決定する。
【０１４２】
これにより、実施形態に係る提供装置１００は、所有者が物品を配置場所に配置可能な日時と、利用者が配置場所に訪問可能な日時との比較結果に基づいて、利用者に対して提案する配置場所を決定するため、利用者間における物品の共有を促すことができる。
【０１４３】
また、実施形態に係る提供装置１００において、提供部１３３は、特定部１３２により特定された配置場所に配置された物品が他の利用者により利用中である場合は、他の利用者による利用期間を特定し、特定した利用期間の終了までの残余期間が所定の閾値以下となった場合は、利用者に対して物品の利用を提案する。
【０１４４】
これにより、実施形態に係る提供装置１００は、配置場所に配置された物品が他の利用者により利用中である場合は、他の利用者による利用期間を特定し、特定した利用期間の終了までの残余期間が所定の閾値以下となった場合は、利用者に対して物品の利用を提案するため、利用者間における物品の共有を促すことができる。
【０１４５】
また、実施形態に係る提供装置１００において、特定部１３２は、利用者の属性に基づいて、利用者が利用を所望する物品を推定し、推定した物品が配置された配置場所のうち、利用者の位置との比較結果が所定の条件を満たす配置場所を特定する。
【０１４６】
これにより、実施形態に係る提供装置１００は、利用者の属性に基づいて、利用者が利用を所望する物品を推定し、推定した物品が配置された配置場所のうち、利用者の位置との比較結果が所定の条件を満たす配置場所を特定するため、利用者間における物品の共有を促すことができる。
【０１４７】
また、実施形態に係る提供装置１００において、特定部１３２は、配置場所に配置された物品のうち利用者が過去に利用した物品の履歴に基づいて、利用者が利用を所望する物品を推定し、推定した物品が配置された配置場所のうち、利用者の位置との比較結果が所定の条件を満たす配置場所を特定する。
【０１４８】
これにより、実施形態に係る提供装置１００は、配置場所に配置された物品のうち利用者が過去に利用した物品の履歴に基づいて、利用者が利用を所望する物品を推定し、推定した物品が配置された配置場所のうち、利用者の位置との比較結果が所定の条件を満たす配置場所を特定するため、利用者間における物品の共有を促すことができる。
【０１４９】
また、実施形態に係る提供装置１００において、利用者から提供される物品の利用に対する報酬を原資として、物品の所有者と、物品が配置された配置場所を提供する事業者への報酬を設定する設定部１３５を有する。
【０１５０】
これにより、実施形態に係る提供装置１００は、利用者から提供される物品の利用に対する報酬を原資として、物品の所有者と、物品が配置された配置場所を提供する事業者への報酬を設定するため、利用者間における物品の共有を促すことができる。
【０１５１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１５２】
１  提供システム
１０  利用者端末装置
２０  所有者端末装置
１００  提供装置
１１０  通信部
１２０  記憶部
１２１  利用者データベース
１２２  所有者データベース
１２３  配置場所データベース
１３０  制御部
１３１  受付部
１３２  特定部
１３３  提供部
１３４  提案部
１３５  設定部
【図１】
2020149511.tif 000003
【図２】
2020149511.tif 000004
【図３】
2020149511.tif 000005
【図４】
2020149511.tif 000006
【図５】
2020149511.tif 000007
【図６】
2020149511.tif 000008
【図７】
2020149511.tif 000009
【図８】
2020149511.tif 000010